(57)【要約】      （修正有）【課題】テーブル板のスペースが広く、テーブル板が左右に振れることなく安定しているステアリングホイール掛止テーブルを提供する。【解決手段】ステアリングホイールのリング部の上縁中央部に掛止する掛止部１と、矩形状のテーブル板２と、ステアリングホイールの両側リング部中央部に立設可能な支持板７と、一対の振れ止め片１０と、を備え、掛止部１はステアリングホイールのリング部の握り径の外周の半周を超えて巻回するように形成されると共に、リング部で形成される上側仮想平面より下方位置まで達するように巻回してテーブル板２の上部の中央部裏面に連結し、支持板７はテーブル板２の裏面に回動自在に連接し、支持板７の長側面の中央部を凹状に形成し、支持板７面の両外側端部にブロック片９を設け、振れ止め片１０を支持板７の両短辺側に回動自在に設けた。【選択図】図１
2019188920.tif 000002
【特許請求の範囲】
【請求項１】
側面視において仰角３０度以下のステアリングホイールに掛止するテーブルであって、
ステアリングホイールのリング部の上縁中央部に上側から掛止する掛止部と、矩形状のテーブル板と、ステアリングホイールの両側リング部中央部に立設可能な支持板と、一対の振れ止め片と、を備え、
掛止部はステアリングホイールのリング部の握り径の外周の半周を超えて巻回するように形成されると共に、該掛止部をステアリングホイールのリング部の上縁中央部に掛止した際、ステアリングホイールのリング部で形成される上側仮想平面より下方位置まで達するようにリング部に巻回してテーブル板の上部の中央部裏面に連結し、
支持板はテーブル板の横手方向の長さを有する長板状であって、該支持板の長辺部をテーブル板の裏面の横手方向に配して丁番で回動自在に連接し、
支持板をテーブル板の裏面に立てた際にステアリングホイールのリング部と接する側の支持板の長側面の中央部を凹状に形成し、
支持板をテーブル板の裏面側に折りたたんだ際のテーブル板の裏面に接する側の支持板面の両外側端部にブロック片を設け、
振れ止め片を支持板の両短辺側に回動自在に設けた、
ことを特徴とするステアリングホイール掛止テーブル。
【請求項２】
前記テーブル板は複数枚の長板状の間伐材から成り、該間伐材の長側面を連接させて矩形状のテーブル板と成し、テーブル板の表面の両側端部に細長状の縁板を固着し、各間伐材の裏面の短辺方向中央部に長手方向に亘って切り込みを設けた、ことを特徴とする請求項１記載のステアリングホイール掛止テーブル。
【請求項３】
振れ止め片は支持板中央部側に付勢されていることを特徴とする請求項１又は請求項２に記載のステアリングホイール掛止テーブル。
【発明の詳細な説明】
【技術分野】
【０００１】
本発明は、自動車のステアリングホイールに掛止させてテーブルとして使用することが出来るステアリングホイール掛止テーブルに関し、特には、ステアリングホイールを側面から見た場合（側面視）、仰角（水平面に対する角度が）３０度以下の上向きに設けられた、トラック等のステアリングホイールに掛止させるステアリングホイール掛止テーブルに関する。
【背景技術】
【０００２】
従来、種々の自動車のステアリングホイール用テーブルであって、使用者の体格及び使用用途などに合わせて使い勝手の良い自動車のステアリングホイール用テーブルが提案されている。該ステアリングホイール用テーブルは、自動車のステアリングホイールのリム上部に着脱自在に係止される係止具と、該係止具に連結され、前記ステアリングホイールに凭せ掛けられる基板と、該基板に連結されたテーブル板とを備えており、前記基板の裏面には、前記ステアリングホイールのリムに当接するスペーサ部が設けられ、該ステアリングホイールに該基板が凭せ掛けられた際に、該ステアリングホイールの膨出部と該基板との接触を回避し得る空間が形成されることを特徴としている（特許文献１）。
【先行技術文献】
【特許文献】
【０００３】
【特許文献１】特開２００９−９０９０１号公報
【０００４】
しかしながら、特許文献１記載のステアリングホイール用テーブルは、係止具に基板が連結され、テーブル板は該基板に連結された構成であるため、ステアリングホイールの上面の大部分は基板に覆われる状態となって、実際に筆記や食事の際に使用できるテーブル板のスペースは比較的小さい、という課題がある。また基板のステアリングホイールへの係着は、係止部と、基板裏面のスペーサ部がステアリングホイールと当接する部分で行われているため、係着点が係止部の一点とスペーサ部の二点の合計三点となる場合があり、この場合、基板は係止部を支点にして左右に回動（振れ）やすくなり、結果としてテーブル板が不安定な状態になる、という課題がある。
【発明の概要】
【発明が解決しようとする課題】
【０００５】
本発明が解決しようとする課題は、実際に使用できるテーブル板の広さが従来に比べて広く、テーブル板が左右に振れることなく安定しているステアリングホイール掛止テーブルを提供することにある。
【課題を解決するための手段】
【０００６】
上記のような課題を解決するため、請求項１記載の発明は、側面視において仰角３０度以下のステアリングホイールに掛止するテーブルであって、
ステアリングホイールのリング部の上縁中央部に上側から掛止する掛止部と、矩形状のテーブル板と、ステアリングホイールの両側リング部中央部に立設可能な支持板と、一対の振れ止め片と、を備え、
掛止部はステアリングホイールのリング部の握り径の外周の半周を超えて巻回するように形成されると共に、該掛止部をステアリングホイールのリング部の上縁中央部に掛止した際、ステアリングホイールのリング部で形成される上側仮想平面より下方位置まで達するようにリング部に巻回してテーブル板の上部の中央部裏面に連結し、
支持板はテーブル板の横手方向の長さを有する長板状であって、該支持板の長辺部をテーブル板の裏面の横手方向に配して丁番で回動自在に連接し、
支持板をテーブル板の裏面に立てた際にステアリングホイールと接する側の支持板の長側面の中央部を凹状に形成し、
支持板をテーブル板の裏面側に折りたたんだ際のテーブル板の裏面に接する側の支持板面の両外側端部にブロック片を設け、
振れ止め片を支持板の両短辺側に回動自在に設けた、
ことを特徴とするステアリングホイール掛止テーブルを提供する。
【０００７】
また、請求項２記載の発明は、前記テーブル板は複数枚の長板状の間伐材から成り、該間伐材の長側面を連接させて矩形状のテーブル板と成し、テーブル板の表面の両側端部に細長状の縁板を固着し、各間伐材の裏面の短辺方向中央部に長手方向に亘って切り込みを設けた、ことを特徴とする請求項１記載のステアリングホイール掛止テーブルを提供する。
【０００８】
また、請求項３記載の発明は、振れ止め片は支持板中央部側に付勢されていることを特徴とする請求項１又は請求項２に記載のステアリングホイール掛止テーブルを提供する。
【発明の効果】
【０００９】
本発明に係る請求項１記載のステアリングホイール掛止テーブルは、テーブル板をステアリングホイール全体を被う程度に十分に広く形成することが出来る効果があり、筆記や食事の際に便利であるという効果がある。またテーブル板は、掛止部の一箇所と、該テーブル板の上方裏面部がステアリングホイールのリング部の上方部分の左右二箇所と、それより下方にある支持板がステアリングホイールの左右のリング部に当接する二箇所の少なくとも五点で保持される効果があり、さらにはステアリングホイールの左右のリング部を一対の振れ止め片によって外側より保持するため、テーブル板が左右に回動することがなく安定している、という効果がある。
【００１０】
また、支持板はテーブル板の裏面に回動自在に連接されているため、該支持板をステアリングホイールの両側リング部中央部に立設させると、テーブル板はほぼ水平状態となり、食事の際に飲み物や汁物を安定的に置くことが出来る効果がある。支持板をテーブル板の裏面側に折りたたんだ状態では、テーブル板は上記水平状態よりも仰角を持った状態となり、テーブル板上で筆記がし易くなる、という効果がある。
【００１１】
さらには、支持板をテーブル板の裏面に立てた際のステアリングホイールと接する側の支持板の長側面の中央部は凹状に形成されているため、ステアリングホイールの中心部に設けられているホーン部が、ステアリングホイールのリング部で形成される上側仮想平面より突出した状態に形成されている場合であっても、支持板の上記長側面の凹部が該ホーン部に当接することが回避されてホーンを鳴らすことが無い、という効果がある。支持板がテーブル板の裏面側に折りたたんだ状態であっても、テーブル板の裏面に接する側の支持板面の両外側端部にブロック片を設けているため、支持板がテーブル板裏面に完全に密着することがなく、ブロック片の厚み分、該支持板はテーブル板裏面より離れていて、結果として上記長側面の中央部の凹状の効果が発揮されて、上記同様に支持板の長側面の凹部が該ホーン部に当接することが回避されてホーンを鳴らすことが無い、という効果がある。
【００１２】
加えて、掛止部はステアリングホイールのリング部径の外周の半周を超えて巻回するように形成されていることより、該掛止部がリング部より外れにくく、このため該掛止部と連結されているテーブル部はステアリングホイールの上方へ移動することが無く安定している、という効果がある。
【００１３】
また請求項２記載のステアリングホイール掛止テーブルは、テーブル板が複数枚の長板状の間伐材から成っているため、安価な間伐材を有効に利用することが出来る、という効果がある。また間伐材の長側面を連接させて形成した矩形状のテーブル板は、その表面の両側端部に細長状の縁板を固着し、さらに各間伐材の裏面の短辺方向中央部に長手方向に亘って切り込みが設けられているため、テーブル板が全体として湾曲することがない、という効果がある。
【００１４】
また請求項３記載の発明は、振れ止め片が支持板中央部側に付勢されているため、ステアリングホイールのリング部を左右から確実に保持することが出来る効果があり、結果としてテーブル板が左右に振れ動くことが無くなり、より安定する、という効果がある。
【図面の簡単な説明】
【００１５】
【図１】本発明の一実施例の全体斜視図である。
【図２】本発明の一実施例の分解斜視図である。
【図３】本発明に係るテーブル板の一実施例の分解斜視図である。
【図４】本発明に係るテーブル板を形成する長板状の間伐材の裏面の状態斜視図である。
【図５】側面視において仰角３０度以下のステアリングホイールとこれに掛止された本発明のステアリングホイール掛止テーブルであって、支持板がステアリングホイールの両側リング部中央部に立設し、テーブル板が略水平状態にあることを示す側面状態図である。
【図６】側面視において仰角３０度以下のステアリングホイールとこれに掛止された本発明のステアリングホイール掛止テーブルであって、支持板がテーブル板の裏面側に折りたたまれ、支持板に設けられたブロック片がテーブル板の裏面に当接し、テーブル板が斜めに成っている状態を示す側面状態図である。
【図７】ステアリングホイールに本発明のステアリングホイール掛止テーブルが掛止されている状態を示す平面状態図である。
【発明を実施するための形態】
【００１６】
次に本願に係る発明の一実施例であるステアリングホイール掛止テーブルについて図１乃至図７に基いて詳細に説明する。
【００１７】
本願においてステアリングホイールＳとは、自動車のハンドル部分全体を称していて、該ステアリングホイールＳは主として手で握って操作を行う大径のリング部Ｓｒとその中央部に設けられているホーン部Ｓｈから成っている。またリング部Ｓｒの太さを示すのが握り径であり、リング部Ｓｒの上方から平板を置いて該平板の裏側をリング部Ｓｒ全体に密着させた際の、該平板の裏側面全体を、本願ではリング部Ｓｒで形成される上側仮想平面と称している。
【００１８】
１は、図５及び図６で示すように側面視において仰角が３０度以下のステアリングホイールＳのリング部Ｓｒの上縁中央部Ｓａに上側から掛止する掛止部であって、二本のＪの字型の金具がその先端部で連接された形状に形成され、側面視、略Ｊの字状に成っている。該掛止部１は図５及び図６で示されるようにリング部Ｓｒの握り径の外周の半周を超えて巻回するようにＪの字型の先端が内側に巻き込むように形成されていて、且つ他端側１ａは、ステアリングホイールＳのリング部Ｓｒで形成される上側仮想平面Ｓｂより下方位置まで達するように延設されて、テーブル板２の上部の中央部裏面２ａに連結されている。
【００１９】
該掛止部１の他端側１ａはテーブル板２の上部に当接する位置で逆への字状に折曲されてテーブル板２の裏面に密着するようにさらに延設されて延設部１ｂと成し、該延設部１ｂ（二本）をテーブル板２の裏面に固着する押さえ金具３が、テーブル板２の裏側から螺子等（図示せず）でテーブル板２の裏面側に固着されている。押さえ金具３には二本の延設部１ｂが嵌合する、二本の溝部３ａが設けられていて、押さえ金具３をテーブル板２の裏側に固着している強さを緩めれば、掛止具１全体が該溝部３ａに沿って摺動するように成っている。該摺動により掛止具１と連結されているテーブル板２の位置を調整可能に成している。テーブル板２の位置を調整可能とすることで、ステアリングホイールＳのリング部Ｓｒの全体の径が異なる場合であってもテーブル板２を運転者（使用者）が使いやすい位置に掛止することができる。
【００２０】
掛止部１と連結されているテーブル板２は、本実施例では二枚の長板状の間伐材４から成っていて、間伐材４の長側面が連結されて矩形状のテーブル板２を形成している。該間伐材４は通常では直径が小さな木から削り出されていることより、乾燥による変形が生じ易いが、本発明に係る実施例においてはテーブル板２の表面の両側端部２ｂに、細長状の縁板５が固着され、また間伐材４の裏面には、短辺方向の中央部に長手方向に亘って切り込み４ａを二本設けることで、該変形が生じないように形成している。なお、テーブル板２の表面の手前側端部には、テーブル板２に物を載せた際に、手前側（運転手側）に滑り落ちないように、細長板状の滑り止め材６が固着されている。
【００２１】
テーブル板２の裏面には、テーブル板２の横手方向の長さを有する長板状の支持板７が長丁番８によって回動自在に連接され、該支持板７は、その長辺部がテーブル板２の裏面の横手方向に成るように配されている。該支持板７はテーブル板２の裏面側に立設可能に形成されているが、支持板７がテーブル板２の裏面に立てられて、該支持板７がステアリングホイールＳの両側リング部中央部Ｓｃに接している状態が図５の状態であり、このときテーブル板２は略水平状態に成っている。
【００２２】
図５及び図６のステアリングホイールＳは、中央部に設けられているホーン部ＳｈがステアリングホイールＳのリング部Ｓｒで形成される上側仮想平面Ｓｂより上側に飛び出しているが、本発明においては該ホーン部Ｓｈに支持板７が当たらないように、該支持板７のステアリングホイールＳのリング部Ｓｒと接する側の長側面の中央部が凹状に形成されていて、該凹状の部分は凹部７ａと成している。
【００２３】
支持板７の、テーブル板２の裏面側に折りたたまれる側の面の両外側端部７ｂにはブロック片９、９が固着され、支持板７がテーブル板２の裏面側に折りたたまれた際には、該ブロック片９、９がテーブル板２の裏面に当接する。この状態でステアリングホイールＳに掛止部１を掛止させた状態を示したのが図６であり、この状態であっても支持板７の凹部７ａは前記ホーン部Ｓｈに当たらないように成っている。
【００２４】
支持板７の両短辺側には、一対の振れ止め片１０がコイルバネ１１を外装した螺子１２によって回動自在に設けられていて、該振れ止め片１０、１０は支持板７の中央部側にコイルバネ１１、１１により付勢されている。該付勢力により本発明をステアリングホイールＳに掛止させた際、ステアリングホイールＳのリング部中央部Ｓｃの両側を、外側から振れ止め片１０、１０が保持することになり、テーブル板２が使用中に揺れ動くことが防止される。また車種によってステアリングホイールＳのリング部Ｓｒの全体の径が異なる場合であっても振れ止め片１０、１０の付勢による螺子１２の軸方向への摺動により、ステアリングホイールＳのリング部中央部Ｓｃを保持することができる。
【００２５】
図７はスタアリングホイールＳに本発明のステアリングホイール掛止テーブルが掛止されている平面状態図であるが、本願ステアリングホイール掛止テーブルは、掛止部１がステアリングホイールＳのリング部Ｓｒの上縁中央部に掛止されると共に、テーブル板２の裏面がステアリンホイールＳのリング部Ｓｒと当接する部分１３、１３の二箇所、さらには支持板７の両端部がリング部中央部Ｓｃと当接する部分１４、１４の合計五箇所でステアリングホイールＳに保持され、これだけでもテーブル板２が揺れ動くことが防止されるが、上記のようにさらに振れ止め片１０、１０を設けたことで、テーブル板２は安定する。
【００２６】
本発明のステアリングホイール掛止テーブルをテーブル板２が略水平状態で使用する際は、図５に示すように、掛止部１をステアリングホイールＳのリング部Ｓｒの上縁中央部に上側から掛止させ、支持板７をテーブル板２の裏面に立てるようにして起こした状態してステアリングホイールＳのリング部中央部Ｓｃに立設させ、さらに一対の振れ止め片１０、１０を回動させてステアリングホイールＳのリング部中央部Ｓｃを両側から保持させる。
【００２７】
また本発明のステアリングホイール掛止テーブルをテーブル板をやや傾斜を持たせて使用する際は、図６に示すように、支持板７をテーブル板７の裏面側に折りたたむようにしてブロック片９、９をテーブル板７の裏面に当接させ、振れ止め片１０、１０を回動させてステアリングホイールＳのリング部中央部Ｓｃを両側から保持させる。
【００２８】
また本発明のステアリングホイール掛止テーブルを使用しないときは、支持板７および振れ止め半１０、１０をテーブル板２側に折りたたんでコンパクトにすることが出来るため、自動車の座席シートとコンソールボックスとの隙間等に収納することが出来る。
【符号の説明】
【００２９】
１  掛止部
１ａ  他端側
１ｂ  延設部
２  テーブル板
２ａ  中央部裏面
２ｂ  両側端部
３  押さえ金具
３ａ  溝部
４  間伐材
４ａ  切り込み
５  縁板
６  滑り止め材
７  支持板
７ａ  凹部
７ｂ  外側端部
８  長丁番
９  ブロック片
１０  振れ止め片
１１  コイルバネ
１２  螺子
１３  当接する部分
１４  当接する部分
Ｓ  ステアリングホイール
Ｓａ  上縁中央部
Ｓｂ  上側仮想平面
Ｓｒ  リング部
Ｓｃ  リング部中央部
Ｓｈ  ホーン部
【図１】
2019188920.tif 000003
【図２】
2019188920.tif 000004
【図３】
2019188920.tif 000005
【図４】
2019188920.tif 000006
【図５】
2019188920.tif 000007
【図６】
2019188920.tif 000008
【図７】
2019188920.tif 000009